(57)【要約】      （修正有）【課題】腹部を下側にして両脚を屈曲させた姿勢を取っている低体重児に着用させる際に、身体に負担をかけにくいテープ型おむつを提供する。【解決手段】展開且つ伸長した状態での長手方向の最大長さが３３０ｍｍ以下の低体重児用のテープ型おむつ（１）であって、一対の前側延出部（２０Ａ）及び一対の後側延出部（２０Ｂ）を備えたサイドフラップ（２０）と、一対の前側延出部に固定されたファスニングテープ（４０）と、ターゲット領域（４５）と、を有し、腹を下向きにして両脚を屈曲させた姿勢で寝ている着用者に着用させる際には、腹側に長手方向の一方側をあてがい、前側延出部を胴回りに沿って腹側から背側に回しこみ、一対のファスニングテープを背側のターゲット領域で係合可能であり、幅方向の外側に向う前側延出部の根元の曲線部分の曲率の最大値が、幅方向の外側に向う後側延出部の根元の曲線部分の曲率の最大値よりも大きい。【選択図】図１
2018068721.tif 000002
【特許請求の範囲】
【請求項１】
長手方向と幅方向と厚さ方向とを有し、
展開且つ伸長した状態での前記長手方向の最大長さが３３０ｍｍ以下の低体重児用のテープ型おむつであって、
前記長手方向の一方側において前記幅方向の両外側に延出した一対の前側延出部、及び、前記長手方向の他方側において前記幅方向の両外側に延出した一対の後側延出部を備えたサイドフラップと、
前記一対の前側延出部にそれぞれ固定されたファスニングテープと、
前記長手方向の他方側に設けられ、前記ファスニングテープを係合させるターゲット領域と、
を有し、
腹を下向きにして両脚を屈曲させた姿勢で寝ている着用者に着用させる際には、前記着用者の腹側に前記長手方向の一方側をあてがい、前記前側延出部を前記着用者の胴回りに沿って腹側から背側に回しこみ、前記一対のファスニングテープを前記着用者の背側で前記ターゲット領域に係合させることが可能であり、
前記他方側から前記一方側に向かって且つ前記幅方向の外側に向かって前記前側延出部が曲線を描きながら延出しはじめる部分の曲率の最大値が、前記一方側から前記他方側に向かって且つ前記幅方向の外側に向かって前記後側延出部が曲線を描きながら延出しはじめる部分の曲率の最大値よりも大きい、ことを特徴とするテープ型おむつ。
【請求項２】
請求項１に記載のテープ型おむつであって、
前記前側延出部の前記長手方向における長さは、前記後側延出部の前記長手方向における長さよりも長い、ことを特徴とするテープ型おむつ。
【請求項３】
請求項１または２に記載のテープ型おむつであって、
前記前側延出部の前記長手方向における長さは、
展開且つ伸長した状態の前記テープ型おむつの前記長手方向における長さの１／４以上かつ１／３以下である、ことを特徴とするテープ型おむつ。
【請求項４】
請求項１〜３のいずれかに記載のテープ型おむつであって、
前記前側延出部の前記長手方向における長さと前記後側延出部の前記長手方向における長さとの和は、
展開且つ伸長した状態の前記テープ型おむつの前記長手方向における長さの１／２以上である、ことを特徴とするテープ型おむつ。
【請求項５】
請求項１〜４のいずれかに記載のテープ型おむつであって、
前記前側延出部の前記幅方向における長さが最大となる前側幅広部を有し、
前記後側延出部の前記幅方向における長さが最大となる後側幅広部を有し、
前記前側幅広部の前記幅方向における長さは、前記後側幅広部の前記幅方向における長さよりも長い、ことを特徴とするテープ型おむつ。
【請求項６】
請求項５に記載のテープ型おむつであって、
前記長手方向において、前記前側延出部の最も前記他方側の端と、前記前側幅広部の最も他方側の端と、を結ぶ仮想線であって、前記長手方向の前記他方側に向かって前記幅方向の内側に傾斜した前記仮想線を有し、
前記仮想線を対角線とする矩形領域において、前記前側延出部の存在領域よりも非存在領域の方が大きい、ことを特徴とするテープ型おむつ。
【請求項７】
請求項５または６に記載のテープ型おむつであって、
前記前側幅広部の前記長手方向の長さは、前記ファスニングテープの前記長手方向の長さの２倍未満である、ことを特徴とするテープ型おむつ。
【請求項８】
請求項１〜７のいずれかに記載のテープ型おむつであって、
前記幅方向の中央部には、液吸収性の吸収体が前記長手方向に沿って配置されており、
前記吸収体の前記幅方向における長さが６０ｍｍ以下である、ことを特徴とするテープ型おむつ。
【請求項９】
請求項１〜８のいずれかに記載のテープ型おむつであって、
前記幅方向の中央部には、液吸収性の吸収体が前記長手方向に沿って配置されており、
前記着用者に着用させる際に、前記前側延出部の前記幅方向の外側端部と前記後側延出部の前記幅方向の外側端部とが接するようにして、前記ファスニングテープを前記ターゲット領域に係合させた場合、
前記ファスニングテープと前記吸収体とが前記厚さ方向において重複しない、ことを特徴とするテープ型おむつ。
【請求項１０】
請求項８または９に記載のテープ型おむつであって、
前記長手方向において、前記ファスニングテープの最も前記一方側の端と、前記吸収体の最も前記一方側の端とが一致していること、を特徴とするテープ型おむつ。
【請求項１１】
請求項１〜１０のいずれかに記載のテープ型おむつであって、
少なくとも前記ファスニングテープが固定されている部分を切り取るための切り取り線を有し、
前記切り取り線の一端は、前記長手方向における前記サイドフラップの最も前記他方側の端よりも前記他方側に位置すること、を特徴とするテープ型おむつ。
【請求項１２】
請求項１１に記載のテープ型おむつであって、
前記切り取り線では、前記厚さ方向に貫通又は非貫通の穴が断続的に並び、
前記切り取り線の前記一端は、前記テープ型おむつの前記幅方向の側端に向かって延びており、
前記切り取り線の前記穴は、前記側端よりも前記幅方向の内側に位置していること、を特徴とするテープ型おむつ。
【発明の詳細な説明】
【技術分野】
【０００１】
本発明は、テープ型おむつに関する。
【背景技術】
【０００２】
テープ型おむつは、一般に、第１胴回り部と股下部と第２胴回り部とを長手方向に並んで有するとともに、第１胴回り部から横方向の両外側に延出して設けられたファスニングテープを第２胴回り部に係止することによって、着用者に着用される。特許文献１には、吸収体が幅方向の内側にくびれた部位を有し、そのくびれた部位が、長手方向において第２胴回り部側（ファスニングテープ側とは反対側）に寄って形成されたテープ型おむつが開示されている。
【先行技術文献】
【特許文献】
【０００３】
【特許文献１】特許第５７４０５２０号
【発明の概要】
【発明が解決しようとする課題】
【０００４】
このようなテープ型おむつのなかには、着用対象者を乳幼児としたものがある。例えば、着用対象者が３０００グラム以下の低体重で出産された赤ちゃん（低体重児）である場合、当該低体重児は胎内に居た時の姿勢、つまり、腹部を下側にして両脚を屈曲させ、膝が腹部に付く位に引き付けられたうつ伏せ姿勢（ポジショニング姿勢）をとっていることが多い。このような低体重児にテープ型おむつを着用させる場合、身体に出来る限り触れないことが望ましいとするミニマルハンドリングの観点から、上記のポジショニング姿勢のままおむつが着用される。
【０００５】
ポジショニング姿勢を取っている低体重児にテープ型おむつを着用させる場合、両脚の間に隠れた腹部側においてファスニングテープを係止させることは難しい。そこで、おむつの前後を逆にして低体重児の背側においてファスニングテープを係止させることで、おむつを着用させる方法がある。この場合、前後を逆にして低体重児の腹側におむつをあてがい、腹部と両脚の間からファスニングテープを通して背側に回しこみ、背側においてファスニングテープを係止させる動作が必要となる。しかし、従来のテープ型おむつでは腹部と両脚の間からファスニングテープを通す際に着用者の脚にファスニングテープが引っかかりやすく、着用者の身体に負担がかかる場合があった。特に、保育器内でポジショニング姿勢を取っている低体重児のおむつを装着する場合、片方の手で両脚の間におむつを通して他方の手で腹側に引き出す作業が必要となり、操作性に制限があるため着用者の身体に負担をかけずに着用させることは困難であった。
【０００６】
そこで、本発明は、腹部を下側にして両脚を屈曲させた姿勢を取っている低体重児に着用させる際に、身体に負担をかけにくいテープ型おむつを提供することを目的とする。
【課題を解決するための手段】
【０００７】
上記目的を達成するための主たる発明は、
長手方向と幅方向と厚さ方向とを有し、展開且つ伸長した状態での前記長手方向の最大長さが３３０ｍｍ以下の低体重児用のテープ型おむつであって、前記長手方向の一方側において前記幅方向の両外側に延出した一対の前側延出部、及び、前記長手方向の他方側において前記幅方向の両外側に延出した一対の後側延出部を備えたサイドフラップと、前記一対の前側延出部にそれぞれ固定されたファスニングテープと、前記長手方向の他方側に設けられ、前記ファスニングテープを係合させるターゲット領域と、を有し、腹を下向きにして両脚を屈曲させた姿勢で寝ている着用者に着用させる際には、前記着用者の腹側に前記長手方向の一方側をあてがい、前記前側延出部を前記着用者の胴回りに沿って腹側から背側に回しこみ、前記一対のファスニングテープを前記着用者の背側で前記ターゲット領域に係合させることが可能であり、前記他方側から前記一方側に向かって且つ前記幅方向の外側に向かって前記前側延出部が曲線を描きながら延出しはじめる部分の曲率の最大値が、前記一方側から前記他方側に向かって且つ前記幅方向の外側に向かって前記後側延出部が曲線を描きながら延出しはじめる部分の曲率の最大値よりも大きい、ことを特徴とするテープ型おむつである。
本発明の他の特徴については、本明細書及び添付図面の記載により明らかにする。
【発明の効果】
【０００８】
本発明によれば、腹部を下側にして両脚を屈曲させた姿勢を取っている低体重児に着用させる際に、低体重児の身体に負担をかけにくいテープ型おむつを提供することができる。
【図面の簡単な説明】
【０００９】
【図１】展開且つ伸長した状態のおむつ１を厚さ方向の肌側から見た概略平面図である。
【図２】図２Ａは、第１胴回り部１Ａにおけるおむつ１の概略断面図である。図２Ｂ、は股下部１Ｃにおけるおむつ１の概略断面図である。
【図３】おむつ１の概略平面図であり、立体ギャザー部５０を説明する図である。
【図４】図４Ａは、ポジショニング姿勢を取っている低体重児におむつ１を着用させた状態について表す図である。図４Ｂは、ポジショニング姿勢を取っている低体重児におむつ１の前後を逆にして着用させた状態について表す図である。
【図５】サイドフラップ２０の構造について説明する平面図である。
【図６】前側延出部２０Ａについて拡大して表した平面図である。
【図７】胴回りが緩めになるようにおむつ１を前後逆着用させた場合について説明する図である。
【図８】切り取り線６０について説明する図である。
【発明を実施するための形態】
【００１０】
本明細書及び添付図面の記載により、少なくとも以下の事項が明らかとなる。
長手方向と幅方向と厚さ方向とを有し、展開且つ伸長した状態での前記長手方向の最大長さが３３０ｍｍ以下の低体重児用のテープ型おむつであって、前記長手方向の一方側において前記幅方向の両外側に延出した一対の前側延出部、及び、前記長手方向の他方側において前記幅方向の両外側に延出した一対の後側延出部を備えたサイドフラップと、前記一対の前側延出部にそれぞれ固定されたファスニングテープと、前記長手方向の他方側に設けられ、前記ファスニングテープを係合させるターゲット領域と、を有し、腹を下向きにして両脚を屈曲させた姿勢で寝ている着用者に着用させる際には、前記着用者の腹側に前記長手方向の一方側をあてがい、前記前側延出部を前記着用者の胴回りに沿って腹側から背側に回しこみ、前記一対のファスニングテープを前記着用者の背側で前記ターゲット領域に係合させることが可能であり、前記他方側から前記一方側に向かって且つ前記幅方向の外側に向かって前記前側延出部が曲線を描きながら延出しはじめる部分の曲率の最大値が、前記一方側から前記他方側に向かって且つ前記幅方向の外側に向かって前記後側延出部が曲線を描きながら延出しはじめる部分の曲率の最大値よりも大きい、ことを特徴とするテープ型おむつ。
【００１１】
このようなテープ型おむつによれば、腹部を下側にして両脚を屈曲させた姿勢を取っている低体重児に対して、おむつの前後を逆にした状態で着用させる際に、前側延出部が低体重児の両脚と接触しにくくなる。これにより、前側延出部を腹側に引き出す動作を行いやすくするとともに、低体重児の肌を傷つけるリスクを低減し、おむつ着用時におけるフィット性を向上させることができる。したがって、おむつを着用させる際に低体重児の身体に負担をかけにくくすることができる。
【００１２】
かかるテープ型おむつであって、前記前側延出部の前記長手方向における長さは、前記後側延出部の前記長手方向における長さよりも長い、ことが望ましい。
【００１３】
このようなテープ型おむつによれば、前側延出部によって着用者の腹部が広く覆われやすくなり、俯せ状態で寝ている着用者の腹側において、尿等の排泄物が漏れてしまうことを抑制しやすくなる。
【００１４】
かかるテープ型おむつであって、前記前側延出部の前記長手方向における長さは、
展開且つ伸長した状態の前記テープ型おむつの前記長手方向における長さの１／４以上かつ１／３以下である、ことが望ましい。
【００１５】
このようなテープ型おむつによれば、従来のテープ型おむつと比較して前側延出部の面積が大きくなりやすく、着用者の腹側の広い面積を覆いやすくなる。一方、前側胴回り部が過度に大きくなったり、その他の各領域との面積比率やバランスが崩れたりすることが抑制される。これらにより、低体重児の身体におむつをフィットさせやすくなる。
【００１６】
かかるテープ型おむつであって、前記前側延出部の前記長手方向における長さと前記後側延出部の前記長手方向における長さとの和は、展開且つ伸長した状態の前記テープ型おむつの前記長手方向における長さの１／２以上である、ことが望ましい。
【００１７】
このようなテープ型おむつによれば、おむつの全長に対する股下部の長さの割合を相対的に小さくすることができる。したがって、身体の小さな低体重児に着用させる場合に、股下部がしっかりとフィットしやすくなり、また、おむつの脚回り開口と低体重児の鼠蹊部との間に隙間が生じにくくなる。したがって、低体重児に着用させるのに好適である。
【００１８】
かかるテープ型おむつであって、前記前側延出部の前記幅方向における長さが最大となる前側幅広部を有し、前記後側延出部の前記幅方向における長さが最大となる後側幅広部を有し、前記前側幅広部の前記幅方向における長さは、前記後側幅広部の前記幅方向における長さよりも長い、ことが望ましい。
【００１９】
このようなテープ型おむつによれば、低体重児におむつを着用させる際に、前側延出部を低体重児の腹の下側から幅方向の外側に引き出す動作を行いやすく、ファスニングテープを幅方に引き伸ばしやすい。また、低体重児の胴回りに沿って前側延出部を腹側に回しこむ動作を行いやすく、背側においてファスニングテープをターゲット領域に係合しやすくなる。したがって、ポジショニング姿勢を取っている低体重児に着用させるのに好適である。
【００２０】
かかるテープ型おむつであって、前記長手方向において、前記前側延出部の最も前記他方側の端と、前記前側幅広部の最も他方側の端と、を結ぶ仮想線であって、前記長手方向の前記他方側に向かって前記幅方向の内側に傾斜した前記仮想線を有し、前記仮想線を対角線とする矩形領域において、前記前側延出部の存在領域よりも非存在領域の方が大きい、ことが望ましい。
【００２１】
このようなテープ型おむつによれば、脚周り開口が広くなるので、胎内に居た時のように着用者が脚を強く曲げ易く、着け心地が良くなる。また、サイドフラップの面積が小さくなっているので、うつ伏せ姿勢の低体重児の脚の間におむつを通す際に、サイドフラップが引っ掛かり難く、装着性が良くなる。
【００２２】
かかるテープ型おむつであって、前記前側幅広部の前記長手方向の長さは、前記ファスニングテープの前記長手方向の長さの２倍未満である、ことが望ましい。
【００２３】
このようなテープ型おむつによれば、幅広部から延出するファスニングテープに対して、幅広部の長さが不必要に長くなく、サイドフラップの面積が小さくなっている。よって、うつ伏せ姿勢の低体重児の脚の間におむつを通す際に、サイドフラップが引っ掛かり難く、装着性が良くなる。
【００２４】
かかるテープ型おむつであって、前記幅方向の中央部には、液吸収性の吸収体が前記長手方向に沿って配置されており、前記吸収体の前記幅方向における長さが６０ｍｍ以下である、ことが望ましい。
【００２５】
このようなテープ型おむつによれば、サイドフラップを折り畳んだ状態においておむつの幅を狭くすることができるため、低体重児の脚の間におむつを通す動作を行う際に、おむつが低体重児の両脚に引っかかることを抑制しやすくなる。
【００２６】
かかるテープ型おむつであって、前記幅方向の中央部には、液吸収性の吸収体が前記長手方向に沿って配置されており、前記着用者に着用させる際に、前記前側延出部の前記幅方向の外側端部と前記後側延出部の前記幅方向の外側端部とが接するようにして、前記ファスニングテープを前記ターゲット領域に係合させた場合、前記ファスニングテープと前記吸収体とが前記厚さ方向において重複しない、ことが望ましい。
【００２７】
このようなテープ型おむつによれば、低体重児におむつを着用させる際に、胴回りの締め付けを緩めにした場合であっても、ファスニングテープの係合が剥がれにくくなる。これにより、低体重児の身体からおむつが外れてしまうことを抑制することができる。
【００２８】
かかるテープ型おむつであって、前記長手方向において、前記ファスニングテープの最も前記一方側の端と、前記吸収体の最も前記一方側の端とが一致していること、ことが望ましい。
【００２９】
このようなテープ型おむつによれば、うつ伏せ姿勢の低体重児の脚の間にファスニングテープ側を前にしておむつを通す際に、長手方向にずれた２点（ファスニングテープの端及び吸収体の端）が起点となっておむつがくしゃくしゃに折れてしまうことを防ぎ、おむつをスムーズに通すことができ、装着性が良くなる。
【００３０】
かかるテープ型おむつであって、少なくとも前記ファスニングテープが固定されている部分を切り取るための切り取り線を有し、前記切り取り線の一端は、前記長手方向における前記サイドフラップの最も前記他方側の端よりも前記他方側に位置すること、ことが望ましい。
【００３１】
このようなテープ型おむつによれば、力が集中しやすいサイドフラップの根元（最も他方側の端）からずれて切り取り線の一端が配置されているため、切り取り線が不用意に破れてしまうことを抑制できる。
【００３２】
かかるテープ型おむつであって、前記切り取り線では、前記厚さ方向に貫通又は非貫通の穴が断続的に並び、前記切り取り線の前記一端は、前記テープ型おむつの前記幅方向の側端に向かって延びており、前記切り取り線の前記穴は、前記側端よりも前記幅方向の内側に位置していること、ことが望ましい。
【００３３】
このようなテープ型おむつによれば、おむつの側端に位置する穴を起点に切り取り線が不用意に破れてしまうことを抑制できる。
【００３４】
＝＝＝実施形態＝＝＝
図１は、展開且つ伸長した状態のおむつ１を厚さ方向の肌側から見た概略平面図である。図２Ａは、第１胴回り部１Ａにおけるおむつ１の概略断面図である。図２Ｂ、は股下部１Ｃにおけるおむつ１の概略断面図である。図３は、おむつ１の概略平面図であり、立体ギャザー部５０を説明する図である。
【００３５】
本実施形態のおむつ１は、図１に示すように展開且つ伸長した状態での長手方向の最大長さ（所謂製品長、図１のＬ１）が３３０ｍｍ以下であり、３０００グラム以下の赤ちゃん（以下「低体重児」という）に好適に使用される。より具体的には、製品長を２１０ｍｍ〜３３０ｍｍの範囲にすることが好ましく、２５００グラム未満の低体重児用の製品長を３１０ｍｍ程度、１５００グラム未満の低体重児用の製品長を２７０ｍｍ程度、１０００グラム未満の低体重児用の製品長を２３０ｍｍ程度にすることが好ましい。
【００３６】
また、着用状態でのおむつ１のウェスト寸法を１６０ｍｍ〜２９５ｍｍの範囲にすることが好ましく、２５００グラム未満の低体重児用のウェスト寸法を２７３．５ｍｍ程度、１５００グラム未満の低体重児用のウェスト寸法を２２０ｍｍ程度、１０００グラム未満の低体重児用のウェスト寸法を２１９ｍｍ程度にすることが好ましい。着用状態でのウェスト寸法とは、後述するファスニングテープ４０の幅方向の先端を、他方のファスニングテープ４０が有するフック材４２の幅方向における根元側の側端に合わせた状態での寸法とする。なお、ウェスト回りに弾性部材が設けられている場合には、おむつ１が幅方向に伸長した状態での寸法とする。
【００３７】
なお、おむつ１が伸長した状態とは、おむつ１に生じていた皺が実質的に視認されなくなる程におむつ１が伸長した状態であり、おむつ１を構成する各部材（例えば後述するサイドシート６等）の寸法がその部材単体の寸法と一致又はそれに近い長さになるまでおむつ１が伸長した状態である。
【００３８】
＜＜おむつの基本構成＞＞
おむつ１は、図１に示す展開状態において、長手方向と幅方向と厚さ方向とを有するとともに、長手方向の一方側から、第１胴回り部１Ａと、股下部１Ｃと、第２胴回り部１Ｂと、を並んで有する。厚さ方向とは、図２Ａ等に示すように、おむつ１を構成する各部材が積層された方向である。厚さ方向において、着用者に接する側を「肌側」といい、その反対側を「非肌側」という。
【００３９】
おむつ１は、図２Ａ等に示すように、尿等の排泄液を吸収する吸収体２と、吸収体２を肌側から覆う液透過性のトップシート３と、吸収体２を非肌側から覆う液不透過性の防漏シート４と、防漏シート４を非肌側から覆い、おむつ１の外形形状を成す外装シート５と、トップシート３上に幅方向に一対並んで設けられた一対のサイドシート６とを有している。
【００４０】
なお、トップシート３としては、エアースルー不織布等を例示でき、防漏シート４としては、ポリエチレンフィルム等の樹脂フィルム等を例示でき、外装シート５及びサイドシート６としてはＳＭＳ不織布（スパンボンド／メルトブローン／スパンボンド不織布）等の柔軟なシートを例示できる。
【００４１】
吸収体２は、その平面形状が長手方向に長い長方形状を成し、吸収性コア２Ａと、吸収性コア２Ａの外周面を被覆するコアラップシート２Ｂとを有する。吸収性コア２Ａは、液体吸収性素材を所定の形状（本実施形態では後述の切欠き部７１〜７３を有する略長方形状）に成形したものである。液体吸収性素材としては、パルプ繊維等の液体吸収性繊維に高吸収性ポリマー（所謂ＳＡＰ）が含有されたものを例示できる。コアラップシート２Ｂとしては、液透過性のティッシュペーパーや不織布等を例示できるが、吸収体２がコアラップシート２Ｂを有さない形態でもよい。
【００４２】
吸収体２の幅方向両側にはサイドフラップ２０が設けられている。サイドフラップ２０は図２Ａに示すように、サイドシート６と外装シート５の一部によって構成されている。サイドフラップ２０は、第１胴回り部１Ａ（長手方向の一方側）において股下部１Ｂよりも幅方向の両外側に延出した一対の第１延出部２０Ａと、第２胴回り部１Ｃ（長手方向の他方側）において股下部１Ｂよりも幅方向の両外側に延出した一対の第２延出部２０Ｂとを備えている。また、一対の第１延出部２０Ａの幅方向外側の各端部には、ファスニングテープ４０がそれぞれ固定されている。
【００４３】
ファスニングテープ４０は、テープ基材４１と、フック材４２とを有する。テープ基材４１は、例えば不織布製の部材であり、幅方向に長い略長方形状を成す。フック材４２（例えば面ファスナーの雄部材）は、サイドフラップ２０の第１延出部２０Ａから幅方向の外側に飛び出したテープ基材４１の部位の肌側面に設けられている。
【００４４】
このファスニングテープ４０は、第２胴回り部１Ｃにおいて外装シート５の非肌側に設けられた所定の領域であるターゲット領域４５（図１参照）に係合可能である。本実施形態では、外装シート５を不織布にすることで、フック材４２を外装シート５（ターゲット領域４５）に直接に係止可能としている。但し、これに限らず、面ファスナーの雌部材等のフック材４２が係止され易い部材を外装シート５と別に設けてもよい。また、フック材４２の代わりに、例えば粘着テープをファスニングテープ４０に設けてもよい。
【００４５】
おむつ１を着用する際には、展開状態のおむつ１が着用者の身体にあてがわれつつ長手方向の略中央位置ＣＬ（図１参照）にて２つ折りされ、第１胴回り部１Ａ側の一対の第１延出部２０Ａが幅方向の内側に折り返される。そして、一対のファスニングテープ４０に設けられた各フック材４２が第２胴回り部１Ｃの非肌側面に設けられたターゲット領域４５に係止される。これにより、おむつ１の胴回り開口及び脚回り開口が形成され、着用者の身体（胴）に対しておむつ１の位置を固定することができる。
【００４６】
また、おむつ１は、幅方向の両側部の位置に、防漏壁としての一対の立体ギャザー部５０を有する。各立体ギャザー部５０は、図３に示すように、長手方向に伸縮可能な立体ギャザー部５０用の弾性部材５１（例えば糸ゴム）と、長手方向の両端部に位置し、且つ、厚さ方向に起立不能な一対の第１基端部５２と、第１基端部５２よりも幅方向の外側において、おむつ１の長手方向の全域に亘って位置し、且つ、厚さ方向に起立不能な第２基端部５３と、厚さ方向の肌側に起立可能な起立部５４とを有する。
【００４７】
第１基端部５２及び第２基端部５３は、長手方向に細長い長方形状を成し、サイドシート６がトップシート３に固定されることで形成されている。固定方法としては、例えばホットメルト接着剤による接着や溶着等の周知の方法を例示できる。なお、図３では、各立体ギャザー部５０の長手方向の各端部において、２つの第１基端部５２が幅方向に並んでいるが、この数は２つに限らない。
【００４８】
また、図２Ｂに示すように、サイドシート６の幅方向の内側の側部は肌側に折り返されており、そうして２層となったサイドシート６の間に、立体ギャザー部５０用の弾性部材５１が長手方向に伸長状態で固定されている。よって、各立体ギャザー部５０が有する一対の第１基端部５２の間のサイドシート６の部位である起立部５４は、弾性部材５１の収縮によって第２基端部５３を支点として厚さ方向の肌側に起立する。なお、図３では、各立体ギャザー部５０が有する弾性部材５１の数が１本であるが、これに限らず、複数の弾性部材５１が幅方向に並んでいてもよい。
【００４９】
また、着用者の脚回りに沿うように、おむつ１の幅方向の両側部であり、主に股下部１Ｂの位置に、長手方向に伸縮可能な一対の脚周り弾性部材７（例えば糸ゴム）が設けられている。詳しくは、図１に示す展開且つ伸長状態において、第２基端部５３よりも幅方向の外側に、脚回り弾性部材７が設けられている。脚回り弾性部材７は、サイドシート６の非肌側面に長手方向に伸長状態で固定されている。よって、おむつ１の着用時に、おむつ１の幅方向の各側部が着用者の脚回りにフィットし、排泄物の漏れが抑制される。なお、図１では、おむつ１の幅方向の各側部において２本の脚回り弾性部材７が幅方向に並んでいるが、この数は２本に限らない。
【００５０】
上記では、立体ギャザー部５０用の弾性部材５１、及び、脚回り弾性部材７として、糸ゴムを例示しているが、これに限らない。これらの弾性部材５１，７が、例えば糸状のポリウレタン伸縮性繊維や、熱可塑性エラストマ樹脂を溶融してフィルム状とした伸縮性フィルムや伸縮繊維からなる伸縮性不織布としてもよい。
【００５１】
＜おむつ１の着用について＞
３０００グラムよりも大きい乳幼児にテープ型おむつを着用させる場合、通常、おむつが長手方向に広げられた後、その上に乳幼児を仰向けに寝かせた状態で着用される。また、ファスニングテープ４０が固定された第１胴回り部１Ａが背側を覆い、第２胴回り部１Ｂが腹側を覆うように着用される。
【００５２】
一方、３０００グラム以下（特に２５００グラム未満）の低体重で出産された低体重児は、胎内に居た時の姿勢で、うつ伏せで過ごすことが望ましいとする考え方がある。胎内に居た時の姿勢とは、腹を下向きにした俯せでＣ字状に背中が丸まるとともに、両脚をＭ字状に屈曲させつつ、両膝が腹部に付く位に引き付けられた状態である。以下、このような低体重児特有の姿勢を「ポジショニング姿勢」とも言う。
【００５３】
図４Ａは、ポジショニング姿勢を取っている低体重児におむつ１を着用させた状態について表す図である。図４Ｂは、ポジショニング姿勢を取っている低体重児におむつ１の前後を逆にして着用させた状態について表す図である。ポジショニング姿勢を取っている低体重児におむつ１を着用させる場合、低体重児の身体には出来る限り触れないことが望ましいとするミニマルハンドリングの考え方から、低体重児を仰向けにせずに、うつ伏せ姿勢のまま着用させることが望ましい。そのため、図４Ａのように通常通りに第１胴回り部１Ａが背側を覆うように着用された場合（以下「前後通常着用」ともいう）、うつ伏せ姿勢の低体重児の腹部の下に手を入れて、ファスニングテープ４０の係止や取り外しを行わなければならず、操作性が良くない。
【００５４】
また、低体重児は、一般に、病院等において保育器の中で育成されている場合が多い。そのため、低体重児におむつを着用させる際には、作業者（おむつを低体重児に着脱させる人）は、保育器に設けられた作業用の窓から手を通して、狭いスペース内で作業を行う必要がある。例えば、保育器内でポジショニング姿勢を取っている低体重児のおむつを装着する場合、作業者は片方の手で低体重児の両脚の間におむつを通し、他方の手で腹側に引き出す作業が必要となり、操作性に制限がある。
【００５５】
これに対して、本実施形態のおむつ１では、図４Ｂのように、おむつ１の前後を逆にして、第１胴回り部１Ａが腹側を覆うようにして着用（以下「前後逆着用」ともいう）させることで、低体重児の身体に負担をかけることなく、作業を行うことができる。以下、低体重児に対しておむつ１を前後逆着用させる際の動作について説明する。なお、前後逆着用を行う場合、おむつ１の第１胴回り部１Ａが着用者の前側（腹側）に位置することから、本明細書中では、第１胴回り部１Ａを「前側胴回り部１Ａ」とも呼び、第１延出部２０Ａを「前側延出部２０Ａ」とも呼ぶ。同様に、おむつ１の第２胴回り部１Ｂが着用者の後側（背側）に位置することから、第２胴回り部１Ｂを「後側胴回り部１Ｂ」とも呼び、第２延出部２０Ｂを「後側延出部２０Ｂ」とも呼ぶ。
【００５６】
ポジショニング姿勢を取っている低体重児に対しておむつ１を前後逆着用させる際には、まず、おむつ１の前側胴回り部１Ａが低体重児の腹側にあてがわれる。このとき、一対のサイドフラップ２０（前側延出部２０Ａ及びファスニングテープ４０）が幅方向の内側にそれぞれ折り畳まれ、おむつ１の幅方向の寸法がなるべく小さくなるようにしつつ、着用者の両脚の間を股下側から腹側に通すようにして、前側胴回り部１Ａが挿入される。また、後側胴回り部１Ｂが低体重児の背側にあてがわれる。
【００５７】
なお、サイドフラップ２０が折り畳まれた状態におけるおむつ１の幅方向寸法の最小値は、吸収体２の幅方向の寸法とほぼ同等となる。吸収体２は、サイドシート６やトップシート３を構成する不織布等と比較して厚みがあり剛性が高くなっているため、サイドフラップ２０は吸収体２の幅方向両端（エッジ）の位置にて幅方向に折れ曲がりやすくなるからである。本実施形態では、おむつ１に搭載される吸収体２の幅方向における長さ（寸法）が６０ｍｍ以下となるようにしている。これにより、低体重児の両脚の間に挿入する際に、前側胴回り部１Ａが両脚に引っかかりにくくなる。但し、吸収体２の幅方向における長さ（寸法）が短すぎると、排泄物を吸収しきれずに横漏れ等が生じやすくなる。したがって、吸収体２の幅方向における長さは所定の幅を有している必要があり、具体的には５０ｍｍ程度とすることが望ましい。
【００５８】
前側胴回り部１Ａが低体重児の腹部にあてがわれた後、折り畳まれていた前側延出部２０Ａ及びファスニングテープ４０を、幅方向において低体重児の腹の下から両側に引き出すようにして展開する。そして、展開された前側延出部２０Ａ及びファスニングテープ４０を低体重児の胴回りに沿って腹側から背側に回しこみ、背部に配置されている後側胴回り部１Ｂのターゲット領域４５にファスニングテープ４０（フック材４２）を係合させる。これらの動作を行うことにより、図４Ｂに示されるようにおむつ１を前後逆着用させることができる。
【００５９】
＜サイドフラップ２０の構造について＞
低体重児に対してテープ型おむつを前後逆着用させる場合、折り畳まれていたサイドフラップを展開する動作において、前側延出部やファスニングテープが低体重児の腹部や両脚に引っかかってしまい、低体重児の肌を傷つける等、身体に負担をかけてしまうおそれがある。また、おむつの前後を変更することにより、フィット性が悪化して排泄物が漏出してしまうおそれがある。
【００６０】
これに対して、本実施形態のおむつ１では、サイドフラップ２０の形状に特徴を持たせることによって、上述のような問題を生じにくくし、前後逆着用させる際に低体重児の身体に負担をかけてしまうことを抑制できる。
【００６１】
図５は、サイドフラップ２０の構造について説明する平面図である。図６は、前側延出部２０Ａについて拡大して表した平面図である。
【００６２】
図５に示されるように、おむつ１の前側延出部２０Ａ及び後側延出部２０Ｂは、それぞれ湾曲しながら幅方向の外側に延出している。具体的に、前側延出部２０Ａは、股下部１Ｃと前側胴回り部１Ａとの間において、長手方向の他方側（内側）から一方側（外側）に向かって、かつ、幅方向の外側に向かって曲線を描きながら延出している。同様に、後側延出部２０Ｂは、股下部１Ｃと後側胴回り部１Ｂとの間において、長手方向の一方側（内側）から他方側（外側）に向かって、かつ、幅方向の外側に向かって曲線を描きながら延出している。このように、各延出部２０Ａ，２０Ｂの外縁が曲線状に構成されていることにより、該延出部２０Ａ，２０Ｂが低体重児の肌と接触した場合であっても、傷等をつけにくくしている。
【００６３】
そして、前側延出部２０Ａが曲線状に延出し始める部分の曲率の最大値をＲ１として、後側延出部２０Ｂが曲線状に延出し始める部分の曲率の最大値をＲ２とすると、Ｒ１の方がＲ２よりも大きくなるように（Ｒ１＞Ｒ２）、前側延出部２０Ａ及び後側延出部２０Ｂが形成されている。すなわち、前側延出部２０Ａが延出し始める根元部分の方が、後側延出部２０Ｂが延出し始める根元部分よりもくびれた形状となっている。上述したように、前側延出部２０Ａ（ファスニングテープ４０）は、ポジショニング姿勢を取っている低体重児におむつ１を着用させる動作において、低体重児の腹の下側から胴回りに沿って横方向の外側に引き出される部位である。この動作において、前側延出部２０Ａの長手方向他方側（内側）の外縁は、低体重児の両脚の近くを通過することから、低体重児の肌（脚）に接触してしまう可能性がある。そこで、おむつ１では、後側延出部２０Ｂと比較して前側延出部２０Ａの根元部分におけるくびれを大きくすることにより、おむつ１を前後逆着用させる際に、前側延出部２０Ａが低体重児の身体（両脚）となるべく接触しにくくなるようにしている。また、ポジショニング姿勢を取っている低体重児におむつ１を着用させる際に、脚の付け根（そけい部）を前側延出部２０Ａが覆うことによる締め付けも低減できるため、低体重児は自然な姿勢を保ちやすくなる。一方で、後側延出部２０Ｂは前側ほどくびれていないので、装着した状態で臀部をしっかり覆うことができてお尻がはみだしにくい。これらのことにより、前側延出部２０Ａを引き出す動作を行いやすくしつつ、低体重児の身体を傷付けたり負担をかけたりすることを抑制することができる。さらに、おむつ１着用時におけるフィット性を向上させることができる
【００６４】
また、おむつ１では、前側延出部２０Ａの長手方向における長さＬ１Ａが、後側延出部２０Ｂの長手方向における長さＬ１Ｂよりも長くなっている（Ｌ１Ａ＞Ｌ１Ｂ）。ここで、「長手方向における前側延出部２０Ａの長さ」とは、図５において、点２６と点２２との長手方向における間隔によって表される。点２６は、前側延出部２０Ａの外縁に沿って長手方向の一方側（外側）に行くにしたがって幅方向の長さが短くなっていく場合に、幅方向の長さが最も小さくなる位置である。同様に、点２２は、前側延出部２０Ａの外縁に沿って長手方向の他方側（内側）に行くにしたがって幅方向の長さが短くなっていく場合に、幅方向の長さが最も小さくなる位置である。また、後側延出部２０Ｂの長手方向における長さＬ１Ｂも同様にして規定される。
【００６５】
長さＬ１ＡをＬ１Ｂよりも長くすることにより、おむつ１の着用時において、前側延出部２０Ａによって着用者（低体重児）の腹部が広く覆われやすくなり、俯せ状態で寝ている低体重児の前側（腹側）において尿等の排泄物が漏れてしまうことを抑制しやすくなる。また、Ｌ１を長くしたとしても、上述したようにおむつ１では前側延出部２０Ａの根元部分の曲率が大きいため、前側延出部２０Ａは着用者の脚に引っかかりにくく、おむつ１を前後逆着用する際に邪魔になりにくい。
【００６６】
また、長手方向における前側延出部２０Ａの長さＬ１Ａは、展開且つ伸長した状態のおむつ１の長手方向における長さＬ１の１／４以上であり、かつ、１／３以下である（１／３×Ｌ１≧Ｌ１Ａ≧１／４×Ｌ１）。おむつ１の全長に対する前側延出部２０Ａの長さの割合が１／４以上であることにより、従来のテープ型おむつと比較して前側延出部２０Ａの面積が大きくなりやすく、前側延出部２０Ａが着用者の腹側の広い面積を覆いやすくなる。一方、おむつ１の全長に対する前側延出部２０Ａの長さの割合が１／３以下であることにより、前側胴回り部１Ａ及び後側胴回り部１Ｂ及び股下部１Ｃの各領域の面積比率やバランスが崩れにくくなり、着用時において、低体重児の身体におむつ１の全体をフィットさせやすくなる。
【００６７】
また、長手方向における前側延出部２０Ａの長さＬ１Ａと後側延出部２０Ｂの長さＬ１Ｂとの和は、展開且つ伸長した状態のおむつ１の長手方向における長さＬ１の１／２以上である。すなわち、前側胴回り部１Ａと後側胴回り部１Ｂとの間に挟まれた股下部１Ｃの長手方向における長さＬ１Ｃが、Ｌ１ＡとＬ１Ｂとの和よりも小さくなる。これにより、おむつ１の全長Ｌ１に対する股下部１Ｃの長さＬ１Ｃの割合が相対的に小さくなる。したがって、身体の小さな低体重児に着用させる場合に、股下部１Ｃの部位が低体重児の股下領域にしっかりとフィットしやすくなり、また、おむつ１の脚回り開口と低体重児の鼠蹊部との間に隙間が生じにくくなるため、低体重児に着用させるのに好適である。
【００６８】
また、前側延出部２０Ａは、幅方向の長さが最大となる前側幅広部２１Ａを有し、後側延出部２０Ｂは、幅方向の長さが最大となる後側幅広部２１Ｂを有する。そして、前側幅広部２１Ａの幅方向における長さＬ２Ａは、後側幅広部２１Ｂの幅方向における長さＬ２Ｂよりも長い。すなわち、前側延出部２０Ａの方が、後側幅広部２１Ｂよりも幅方向外側への延出量が大きくなっている。このように前側延出部２０Ａの幅方向における長さが長いことにより、低体重児におむつ１を前後逆着用させる際に、前側延出部２０Ａを低体重児の腹の下側から幅方向の外側に引き出す動作を行いやすく、前側延出部２０Ａに固定されているファスニングテープ４０を幅方に引き伸ばしやすい。また、前側延出部２０Ａを引き出した後、低体重児の胴回りに沿って該前側延出部２０Ａを腹側に回しこむ動作を行いやすく、背側においてファスニングテープ４０をターゲット領域４５に係合しやすくなる。したがって、ポジショニング姿勢を取っている低体重児に対して前後逆着用させるのに好適である。
【００６９】
また、おむつ１は、図６に示すように、長手方向において、前側延出部２０Ａの他方側の根元点２２と、幅広部２１の最も他方側の端２３と、を結ぶ仮想線Ｌｃであり、長手方向の他方側に向かって幅方向の内側に傾斜した仮想線Ｌｃを有する。おむつ１では、この仮想線Ｌｃを対角線とする矩形領域Ａにおいて、前側延出部２０Ａの存在領域（斜線部分）よりも非存在領域の方が大きくなっている。
【００７０】
つまり、前側延出部２０Ａの側辺２４は仮想線Ｌｃよりも内側にえぐれている。換言すると、前側延出部２０Ａの側辺２４は、仮想線Ｌｃと直交する方向のうちサイドフラップ側（Ｄ１側）に凸となるように湾曲している。したがって、本実施形態の前側延出部２０Ａでは、例えば側辺２４とは逆側（Ｄ１の逆側）に向かって凸となるように湾曲する延出部に比べて、面積が小さくなっている。そのため、うつ伏せ姿勢のままの低体重児の脚の間におむつ１を通す（挿入する）際に、前側延出部２０Ａが脚に引っ掛かり難く、スムーズに通すことができ、おむつ１の着用性が良くなる。
【００７１】
また、前側延出部２０Ａは、サイドフラップ側（Ｄ１側）に凸となるように湾曲していることから、脚周り開口が広くなっている。したがって、低体重児が脚を強く曲げるポジショニング姿勢を取り易くなり、着け心地が向上する。また、ポジショニング姿勢を取る低体重児の脚で前側延出部２０Ａが非肌側にめくれてしまうことを防ぎ、脚周りからの排泄物の漏れを抑制しやすい。
【００７２】
更に、本実施形態の前側延出部２０Ａでは、幅広部２１Ａの長手方向の長さＬ３Ａが、ファスニングテープ４０の長手方向の長さＬ４Ａの２倍未満となっている（Ｌ３Ａ＜２×Ｌ４Ａ）。つまり、幅広部２１Ａから延出するファスニングテープ４０に対して、幅広部２１Ａの長さが必要以上に長くなることなく、幅方向外側端部における前側延出部２０Ａの面積がより小さくなっている。よって、うつ伏せ姿勢のままの低体重児の脚の間におむつ１を通す際に、前側延出部２０Ａがより一層引っ掛かり難くなり、おむつ１の着用性が良くなる。
【００７３】
なお、ファスニングテープ４０の長手方向の長さＬ４Ａが一定でない場合もある。その場合、幅広部２１Ａの長手方向の長さＬ３Ａは、前側延出部２０Ａから延出しているファスニングテープ４０の部位のうち、長手方向の最大長さの２倍未満、或いは、根元（幅方向の内側の端）の長手方向の長さの２倍未満であることが好ましい。但し、これらに限定されず、例えば、幅広部２１Ａの長手方向の長さＬ３Ａが、前側延出部２０Ａから延出しているファスニングテープ４０の部位の最小の長手方向の長さの２倍未満であってもよいし、前側延出部２０Ａに固定されたファスニングテープ４０の部位の長手方向の長さの２倍未満であってもよい。
【００７４】
また、ファスニングテープ４０側を前にして低体重児の脚の間におむつ１を通す際に、ファスニングテープ４０の長手方向一方側（外側）の端４０ｂや、吸収体２の長手方向一方側の端２ａにおいて、長手方向に剛性差が生じ、おむつ１が折れ易い。そこで、図３に示すように、長手方向において、ファスニングテープ４０の最も一方側（外側）の端４０ｂと、吸収体２の最も一方側の端（２ｂ）とを一致させるとよい。
【００７５】
そうすることで、ファスニングテープ４０側を前にして低体重児の脚の間におむつ１を通す際に、長手方向にずれた２点（ファスニングテープ４０の端と吸収体２の端）が折れ起点となって、おむつ１がくしゃくしゃに折れてしまうことを防止できる。よって、スムーズにおむつ１を通すことができ、おむつ１の着用性が良くなる。また、おむつ１の折れによる隙間の発生を防ぎ、排泄物の漏れを抑制できる。
【００７６】
また、おむつ１を低体重児に着用させる際には、身体に対してしっかりとフィットさせるのではなく、胴回りの締め付けが緩めになるように、ファスニングテープ４０の位置を調整して係合させる場合がある。図７は、胴回りが緩めになるようにおむつ１を前後逆着用させた場合について説明する図である。図７の状態では、前側延出部２０Ａの幅方向の外側端２１Ａｅと、後側延出部２０Ｂの幅方向の外側端２１Ｂｅとが接するようにファスニングテープ４０がターゲット領域４５に係合している。すなわち、前側延出部２０Ａと後側延出部２０Ｂとが厚さ方向に重複しない程度に胴回りを緩めた状態でファスニングテープ４０が係合されている。そして、このような状態でファスニングテープ４０を係合させた場合には、ファスニングテープ４０と吸収体２とが厚さ方向において重複しない。図７のＡ−Ａ断面図に示されるように、吸収体２が配置されている部分では厚さ方向の厚みが大きくなっており、後側胴回り部１Ｂのうち吸収体２が配置されている部分と吸収体２が配置されていない部分とで厚さ方向の段差が生じている。
【００７７】
仮に、ファスニングテープ４０がこの段差部分に重ねて係合された場合、十分な係合力が得られず、ファスニングテープ４０が剥がれてしまうおそれがある。特に、図７のように胴回りの締め付けを緩めにしていた場合、ファスニングテープ４０が剥がれると、おむつ１全体が着用の身体から大きくずれてしまい、排泄物が漏出するおそれがある。これに対して、おむつ１では、前側延出部２０Ａと後側延出部２０Ｂとが厚さ方向に重複しない程度に胴回りを緩めた場合、ファスニングテープ４０は後胴回り部１Ｂのうち段差の小さい（段差のない）部分と係合するため、おむつ１が着用者の身体から外れてしまう可能性は低くなる。
【００７８】
また、図１に示すように、おむつ１は、前側胴回り部１Ａにファスニングテープ４０が固定されている部分（点線で表示される部分）を切り取るための切り取り線６０を有する。なお、おむつ１はファスニングテープ４０を一対有するため、切り取り線６０も一対有する。図８は、切り取り線６０について説明する図である。
【００７９】
本実施形態の切り取り線６０は、図８に示すように、ミシン目で形成されており、厚さ方向に貫通又は非貫通の穴６１が断続的に並ぶことによって形成されている。但しこれに限らず、切り取り線６０に沿っておむつ１の一部が本体部から切り離し易くなっていればよく、例えば、溝状の連続した凹部によって切り取り線６０を形成してもよい。
【００８０】
また、本実施形態の切り取り線６０は、おむつ１の長手方向一方側の端１ｂ（着用時に胴回り開口となる部分）から、ファスニングテープ４０の固定部分４３（図８において破線で表示されている）よりも幅方向の内側の位置を通って、おむつ１の幅方向の側端１ａ（着用時に脚周り開口となる部分）に向かって延びている。詳説すると、切り取り線６０は、おむつ１の長手方向一方側の端１ｂから長手方向に沿って延びた直線部分と、その直線部分からおむつ１の幅方向の側端１ａに向かって湾曲した曲線部分とを有する。但し、切り取り線６０の形状は図示するものに限らず、ファスニングテープ４０の固定部分４３を切り取ることができれば、どのような形状でもよい。
【００８１】
おむつ１が切り取り線６０を有することで、例えば、前後逆装着（図４Ｂ）の場合には、切り取り線６０を切断することで、背側に位置する後側胴回り部１Ｃにファスニングテープ４０が係止している状態で、おむつ１が長手方向に展開する。よって、硬いファスニングテープ４０が固定された前側胴回り部１Ａを低体重児の脚の間に通すことなく、おむつ１を引き抜くことができ、低体重児の肌への負担を軽減できる。
【００８２】
また、図８に示すように、切り取り線６０の一端６２（おむつ１の幅方向の側端１ａに向かって延びた端６２）が、長手方向におけるサイドフラップ２０の最も他方側の端２２（サイドフラップ２０の根元点２２）よりも他方側に位置している。このように、力が集中しやすいサイドフラップ２０の根元点２２と、切り取り線６０の一端６２とを、長手方向にずらして配置することが好ましい。
【００８３】
そうすることで、例えば、おむつ１の装着の為、ファスニングテープ４０が幅方向の外側に引っ張られた際に、切り取り線６０の一端６２を起点に切り取り線６０が不用意に破れてしまうことを防止できる。また、ファスニングテープ４０側を前にして低体重児の脚の間におむつ１を通す際に、サイドフラップ２０が低体重児の脚に引っ掛かる等しても、切り取り線６０が不用意に破れてしまうことを防止できる。
【００８４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００８５】
１  おむつ（テープ型おむつ）、
１Ａ  第１胴回り部（前側胴回り部）、
１Ｂ  第２胴回り部（後側胴回り部）、
１Ｃ  股下部、
２  吸収体、２Ａ  吸収性コア、２Ｂ  コアラップシート、
３  トップシート、４  防漏シート、５  外装シート、
６  サイドシート、７  脚回り弾性部材、
２０  サイドフラップ、
２０Ａ  第１延出部（前側延出部）、
２０Ｂ  第２延出部（後側延出部）、
２１  幅広部、
４０  ファスニングテープ、４１  テープ基材、４２  フック材、４５  ターゲット領域、
５０  立体ギャザー部、５１  弾性部材、５２  第１基端部（基端部）、
５３  第２基端部、５４  起立部、
６０  切り取り線、６１  穴、
Ｌｃ  仮想線、Ａ  矩形領域、
【図１】
2018068721.tif 000003
【図２】
2018068721.tif 000004
【図３】
2018068721.tif 000005
【図４】
2018068721.tif 000006
【図５】
2018068721.tif 000007
【図６】
2018068721.tif 000008
【図７】
2018068721.tif 000009
【図８】
2018068721.tif 000010